(57)【特許請求の範囲】
【請求項１】
加熱室を有するケーシングと、
上記ケーシング内に配置され、排水を溜めるための排水タンクを収納する排水タンク用収納部と、
上記排水タンク用収納部内に溢れた水を上記加熱室に案内する排水タンク用排水経路と、
上記排水タンク用排水経路に設けられ、上記排水タンク用収納部側から上記加熱室側への水の流れのみを許容する逆止弁と
を備えたことを特徴とする加熱調理器。
【請求項２】
請求項１に記載の加熱調理器において、
上記逆止弁は、上記排水タンク用排水経路に設けられたスリットに挿入された弾性体からなる板状の弁体を有することを特徴とする加熱調理器。
【請求項３】
請求項２に記載の加熱調理器において、
上記排水タンク用排水経路は、上記加熱室側の大径部と上記大径部よりも内径が小さい上記排水タンク用収納部側の小径部とを有し、
上記排水タンク用排水経路内の上記小径部と上記大径部との間に段部が形成され、
上記逆止弁の上記板状の弁体の上記排水タンク用収納部側の端面の一部が、上記段部の側壁に対向しかつ近接していることを特徴とする加熱調理器。
【発明の詳細な説明】
【技術分野】
【０００１】
この発明は、加熱調理器に関する。
【背景技術】
【０００２】
従来、加熱調理器としては、着脱式の給水タンクから蒸気発生装置に水を供給するものがある(例えば、特開平９−４８４９号公報(特許文献１)参照)。この加熱調理器では、蒸気発生装置内の水を排水しないで使用し続けるため、スケールが発生しやすくなったり、長期間停止した場合に衛生面上の問題が生じたりする。
【０００３】
そこで、本出願人は、蒸気発生装置から排水タンクに排水して、スケールの発生や衛生面上の問題を解消できる加熱調理器を提案している。なお、この加熱調理器は、この発明を理解しやすくするために説明するものであって、公知技術ではなく、従来技術ではない。
【０００４】
ところで、この排水タンクを備えた加熱調理器において、排水タンクが満水となって機器内や外部に排水が溢れ出して、機器内の電気回路の故障原因となったり機器内や外部を汚染したりするため、排水タンク用収納部内に溢れた水を加熱室に案内する排水タンク用排水経路を設けている。
【０００５】
しかしながら、排水タンク用収納部と加熱室が排水タンク用排水経路を介して接続されているため、加熱室内の高温気体が排水タンク用収納部に流入するという問題がある。この場合、調理中の加熱室内の高温気体が不必要に流出してしまうと共に、排水タンク用収納部およびその周辺部に耐熱対策を施さなければならない。
【特許文献１】特開平９−４８４９号公報
【発明の開示】
【発明が解決しようとする課題】
【０００６】
そこで、この発明の目的は、排水タンク用収納部内に溢れた水を加熱室に排水経路を介して案内する構成において、加熱室内の高温気体が排水経路から排水タンク用収納部に流入するのを効果的に防止できる加熱調理器を提供することにある。
【課題を解決するための手段】
【０００７】
上記目的を達成するため、この発明の加熱調理器は、
加熱室を有するケーシングと、
上記ケーシング内に配置され、排水を溜めるための排水タンクを収納する排水タンク用収納部と、
上記排水タンク用収納部内に溢れた水を上記加熱室に案内する排水タンク用排水経路と、
上記排水タンク用排水経路に設けられ、上記排水タンク用収納部側から上記加熱室側への水の流れのみを許容する逆止弁と
を備えたことを特徴とする。
【０００８】
上記構成の加熱調理器によれば、上記排水タンク用収納部内に水が溢れたとき、逆止弁が排水タンク用収納部側から加熱室側への水の流れのみを許容するので、排水タンク用排水経路を介して加熱室に案内され、加熱室側からの高温気体は排水タンク用収納部に流入しない。したがって、排水タンク用収納部内に溢れた水を加熱室に排水経路を介して案内する加熱調理器において、加熱室内の高温気体が排水経路から排水タンク用収納部に流入するのを防止できる。これにより、調理中の加熱室内の高温気体が不必要に流出するのを防げると共に、排水タンク用収納部およびその周辺部に耐熱対策を施す必要がなくなり、コストを低減できる。
【０００９】
また、一実施形態の加熱調理器は、上記逆止弁が、上記排水タンク用排水経路に設けられたスリットに挿入された弾性体からなる板状の弁体を有することを特徴とする。
【００１０】
上記実施形態の加熱調理器によれば、上記逆止弁の弾性体からなる板状の弁体を、排水タンク用排水経路に設けられたスリットに挿入することによって、簡単な構成で排水タンク用収納部側から加熱室側への水の流れのみを許容する逆止弁を排水タンク用排水経路に設けることができる。
【００１１】
また、一実施形態の加熱調理器は、
上記排水タンク用排水経路は、上記加熱室側の大径部と上記大径部よりも内径が小さい上記排水タンク用収納部側の小径部とを有し、
上記排水タンク用排水経路内の上記小径部と上記大径部との間に段部が形成され、
上記逆止弁の上記板状の弁体の上記排水タンク用収納部側の端面の一部が、上記段部の側壁に対向しかつ近接していること特徴とする。
【００１２】
上記実施形態の加熱調理器によれば、排水タンク用排水経路の排水タンク用収納部側の小径部と排水タンク用排水経路の加熱室側の大径部により形成された段部の側壁に、逆止弁の板状の弁体の排水タンク用収納部側の端面が対向しかつ近接しているので、排水タンク用収納部側から加熱室側への水の流れに対して、板状の弁体が排水タンク用収納部側に変形して流路が確保される一方、加熱室側から排水タンク用収納部側への高温気体の流れに対して、板状の弁体は、端面が対向する段部の側壁に接して変形せずに、排水タンク用排水経路を閉じた状態にする。
【発明の効果】
【００１３】
以上より明らかなように、この発明の加熱調理器によれば、排水タンク用収納部内に溢れた水を加熱室に排水経路を介して案内する構成において、加熱室内の高温気体が排水経路から排水タンク用収納部に流入するのを効果的に防止することができる。
【発明を実施するための最良の形態】
【００１４】
以下、この発明の加熱調理器を図示の実施の形態により詳細に説明する。
【００１５】
図１はこの発明の実施の一形態の加熱調理器１の外観斜視図であり、直方体形状の本体ケーシング１０の正面に、下端側の辺を略中心に回動する扉１２を設けている。扉１２の右側に操作パネル１１を設け、扉１２の上部にハンドル１３を設けると共に、扉１２の略中央に耐熱ガラス製の窓１４を設けている。
【００１６】
また、図２は上記加熱調理器１の扉１２を開いた状態の外観斜視図を示しており、本体ケーシング１０内に直方体形状の加熱室２０が設けられている。加熱室２０は、扉１２に面する正面側に開口部２０aを有し、加熱室２０の側面,底面および天面をステンレス鋼板で形成している。また、扉１２は、加熱室２０に面する側をステンレス鋼板で形成している。加熱室２０の周囲および扉１２の内側に断熱材(図示せず)を配置して、加熱室２０内と外部とを断熱している。
【００１７】
また、加熱室２０の底面に、ステンレス製の受皿２１が置かれ、受皿２１上に被加熱物を載置するためのステンレス鋼線製のラック２２が置かれている。なお、扉１２を開いた状態で、扉１２の上面側は略水平となって、被加熱物を取り出すときに一旦扉１２の上面に置くことができる。
【００１８】
さらに、本体ケーシング１０の加熱室２０の左側に、密閉型の給水タンク３０を収納するための給水タンク用収納部３１を設けている。給水タンク３０は、前面側から後面側に向かって給水タンク用収納部３１内に挿入される。また、本体ケーシング１０の加熱室２０の左側かつ給水タンク用収納部３１の下側に、排水タンク用収納部５１を設けている。排水タンク５０は、前面側から後面側に向かって排水タンク用収納部５１内に挿入される。
【００１９】
また、図３は上記加熱調理器１の要部の構成を示す模式図を示しており、直方体形状の給水タンク３０の長手方向の一方の側面下側にジョイント部３２を設けている。給水タンク３０のジョイント部３２に管状の屈曲部３３の一端を接続し、屈曲部３３の他端が下方に向かって屈曲している。屈曲部３３の下端の開口３３aを水位設定部３４の内側に配置し、その屈曲部３３の下端よりも上側に大気開放端３４aを設けている。水位設定部３４の底部との蒸気発生装置３６の底部との間を給水経路３５を介して接続している。なお、ジョイント部３２には、図示しないが、ジョイント部３２が屈曲部３３側に接続されない状態で給水タンク３０内の水が漏れないようにする閉鎖弁を設けている。
【００２０】
上記蒸気発生装置３６内の下側にヒータ３７を配置している。また、蒸気発生装置３６の上側に蒸気供給路３９の一端を接続し、その蒸気供給路３９の他端を加熱室２０の上側に接続している。
【００２１】
また、蒸気発生装置３６の給水経路３５が接続された下端に、排水バルブ３８の一端を接続している。そして、排水バルブ３８の他端に第１排水経路４１の一端を接続している。
【００２２】
また、水位設定部３４内には、大気開放端３４aよりも下側、かつ、屈曲部３３の下端の開口３３aよりも上側に、第２排水経路４２の上端の開口４２aを配置すると共に、その第２排水経路４２の下端を排水タンク５０の排水受口５０aの上側近傍に配置している。そうして、異常発生等によって水位設定部３４内の水位が上昇しても、水位設定部３４の大気開放端３４aから水が溢れ出さないように、第２排水経路４２を介して排水タンク５０に排水する。なお、第２排水経路４２の最小断面積を屈曲部３３の最小断面積よりも大きくすることによって、最小断面積により定まる屈曲部３３から流れ落ちる水の流量よりも第２排水経路４２を介して排水可能な水の流量を多くでき、水位設定部３４の大気開放端から水が溢れ出さないようにしている。
【００２３】
また、第１排水経路４１の他端を第２排水経路４２の下端近傍に接続している。蒸気発生装置３６の水は、排水バルブ３８を開くことにより第１排水経路４１を介して排水タンク５０に排水される。なお、排水バルブ３８を開いて蒸気発生装置３６の排水を行うとき、給水タンク３０内の水が、屈曲部３３,水位設定部３４,給水経路３５および排水バルブ３８を介して排出されることになる。しかしながら、給水タンク３０の給水流量よりも蒸気発生装置３６の排水流量が多くなるように設計することによって、排水時の給水タンク３０から流れ出る水量を少なくして、給水タンク３０を装着したままでも排水を可能としている。
【００２４】
また、上記排水タンク５０の排水受口５０aの下側に、第３排水経路４３の一端の排水受口４３aを配置し、第３排水経路４３の他端を加熱室２０に接続している。排水タンク５０が満水になって排水受口５０aから水が溢れ出したときは、溢れ出した水を第３排水経路４３の排水受口４３aで受けて、第３排水経路４３を介して加熱室２０内の受皿２１(図２に示す)に排水される。これにより、排水タンク５０が満水になって排水受口５０aから水が溢れ出しても、機器内や外部に排水が漏れ出すことがない。
【００２５】
上記構成の加熱調理器１において、満水状態の給水タンク３０が本体ケーシング１０(図１に示す)内に装着されると、給水タンク３０のジョイント部３２が屈曲部３３に接続され、給水タンク３０内の水が、屈曲部３３を介して水位設定部３４内に流れ落ちる。そうして、水位設定部３４に流れ落ちた水は、給水経路３５を介して蒸気発生装置３６内に供給され、水位設定部３４の内側の屈曲部３３の下端が開口する位置の設定水位まで水面が上昇すると、屈曲部３３の下端の開口が水で閉じられて給水が停止する。このとき、蒸気発生装置３６内にも上記設定水位と同じ水位まで水が供給された状態となる。この水の供給中は、屈曲部３３の下端から空気が給水タンク３０内に流入し、流入した空気と入れ替わるようにして給水タンク３０内の水が流出する。
【００２６】
そして、蒸気発生装置３６内に供給された水がヒータ３７の加熱により沸騰して蒸気が発生し、この蒸気発生装置３６で発生した蒸気が蒸気供給路３９を介して加熱室２０に供給される。
【００２７】
このようにして蒸気発生により水が消費されて蒸気発生装置３６内の水位が低下すると、屈曲部３３の下端が開口する位置よりも水位が下がり、屈曲部３３の下端から空気が給水タンク３０内に流入する。そうして、流入した空気と入れ替わって給水タンク３０内の水が流出して、水位設定部３４内の水位すなわち蒸気発生装置３６内の水位が略一定に保たれる。
【００２８】
図４は上記加熱調理器１のカウンタリセット部の機能を含む制御装置８０のブロック図を示しており、制御装置８０には、図４に示すように、操作パネル１１と、ヒータ３７と、排水バルブ３８と、排水タンク用センサ５２とが接続されている。上記制御装置８０は、マイクロコンピュータと入出力回路などからなり、排水動作回数を計数するカウンタ８０aを有し、操作パネル１１や排水タンク用水位センサ５２からの信号に基づいて、操作パネル１１,ヒータ３７および排水バルブ３８等を所定のプログラムに従って制御する。
【００２９】
図５は上記加熱調理器１の排水タンク５０を含む要部の具体的な構造を示す側面図を示しており、図６は図５の左側方から見た上記排水タンク５０を含む要部の裏面図を示している。
【００３０】
図５,図６に示すように、断面長方形の筒状の排水タンク用収納部５１の一方(図５の右側)の開口部５１aから排水タンク５０(点線で示す)を挿入する。この排水タンク用収納部５１の他方(図５の左側)に突出部６１を設けている。上記突出部６１の上側に、２つの入口を有する接続部６５を設け、その接続部６５の出口を突出部６１の上方に配置している。上記突出部６１の先端の下側に第３排水経路４３を介して加熱室接続部６２を接続している。
【００３１】
また、排水バルブ３８(図３に示す)に一端が接続された第１排水経路４１の他端を接続部６５の一方の入口側に接続すると共に、水位設定部３４(図３に示す)に上端が接続された第２排水経路４２の下端を接続部６５の他方の入口側に接続している。さらに、加熱室２０内の蒸気を外部に排気するための排気経路６３の下端を加熱室接続部６２に接続すると共に、図示しない蒸気発生装置３６と加熱室２０との間に設けられた通路内の結露水を排出するための第４排水経路６４の下端を加熱室接続部６２に接続している。
【００３２】
この加熱室接続部６２は、第３排水経路４３,第４排水経路６４および排気経路６３に対して最も下側に配置されている。また、加熱室接続部６２は、第３排水経路４３,第４排水経路６４および排気経路６３の全てに連通する出口６２aを有し、その出口６２aを加熱室２０の側壁に取り付けている。すなわち、第１排水経路４１,第２排水経路４２,第３排水経路４３,第４排水経路６４および排気経路６３のいずれの経路から流れ落ちる水も、加熱室接続部６２を介して加熱室２０内に案内される。
【００３３】
また、排水タンク用収納部５１の突出部６１の側方に、排水タンク用センサ５２を取り付けている。排水タンク５０が装着されると、排水タンク５０の先端側に設けられた突起５０bが排水タンク用収納部５１に設けられた穴(図示せず)を通って、排水タンク用センサ５２をオンする。
【００３４】
また、図７は図６のVII−VII線から見た断面図を示している。図７において図６と同一の構成部は同一参照番号を付して説明を省略する。
【００３５】
図７に示すように、排水タンク用収納部５１内に挿入された排水タンク５０の先端上側には、鳥のくちばしの下側部分の形状をした排水受口５０aを設けている。この排水タンク５０の排水受口５０aは、排水タンク用収納部５１内に装着された状態で排水タンク用収納部５１の突出部６１内に突出している。蒸気発生装置３６(図３に示す)の水は、排水バルブ３８(図３に示す)を開くことにより第１排水経路４１を介して排水受口５０aに流れ落ちた後、排水タンク５０内に導かれる。同様に、水位設定部３４から溢れ出した水は、第２排水経路４２を介して排水受口５０aに流れ落ちた後、矢印Ｒ１の方向に排水タンク５０内に導かれる。
【００３６】
このような排水タンク構造にすることによって、排水タンク５０が満水となって排水受口５０aから溢れ出した場合、排水タンク用収納部５１の突出部６１内に流れ落ちた後、第３排水経路４３,加熱室接続部６２を介して加熱室２０内に案内される。この第３排水経路４３と加熱室接続部６２で排水タンク用排水経路を構成している。また、排水タンク用収納部５１の突出部６１に第３排水経路４３が接続される箇所に、排水タンク用収納部５１側から加熱室２０側への水の流れのみを許容する逆止弁７０を配置している。
【００３７】
また、図８に示すように、排水タンク５０が排水タンク用収納部５１内に十分に挿入されていないとき(または排水タンク５０が装着されていないとき)の断面図を示している。図８において図６と同一の構成部は同一参照番号を付して説明を省略する。
【００３８】
図８に示すように、排水タンク用収納部５１の突出部６１内の下側に、第３排水経路４３側に向かって徐々に低くなる傾斜面６１aを設けている。そして、排水タンク５０が排水タンク用収納部５１内に十分に挿入されていないとき(または排水タンク５０が装着されていないとき)、蒸気発生装置３６(図３に示す)の水が、排水バルブ３８(図３に示す)を開くことにより第１排水経路４１を介して排水タンク用収納部５１の突出部６１内に流れ落ちたり、水位設定部３４から溢れ出した水が、第２排水経路４２を介して排水タンク用収納部５１の突出部６１内に流れ落ちたりする。このとき、矢印Ｒ２の方向に突出部６１内の傾斜面６１aに沿って第３排水経路４３側に流れた後、加熱室接続部６２を介して加熱室２０内に案内される。
【００３９】
上記加熱調理器１では、加熱室２０に供給する蒸気を発生する蒸気発生装置３６内から排出された水を排水バルブ３８を介して排水タンク５０に溜める。このとき、１回の排水動作で溜まる排水の量は略決まっているので、制御装置８０は、排水タンク５０の容積に対して何回の排水動作が可能かを知ることができる。したがって、排水タンク５０が空の状態から満水になるまでの排水動作回数を所定回数(例えば３回)に設定して、カウンタ８０aにより計数された排水回数が所定回数以上のとき、制御装置８０により操作パネル１１を制御して排水タンク５０の満水を表示と音(または音声)により報知する。そして、報知されたユーザーは、排水タンク５０内の排水を処分した後、空の排水タンク５０を再び本体ケーシング１０に装着する。なお、ユーザーが排水タンク５０を本体ケーシング１０から外したとき、排水タンク用センサ５２により排水タンク５０が外されたことを検出して、制御部８０は、カウンタ８０aをリセットする。このように、簡単な構成で排水タンク５０内の排水が機器内や外部に溢れ出さないようにできる。
【００４０】
また、上記排水タンク５０が満水となって排水タンク５０から排水が溢れ出したとき、その排水タンク５０から溢れ出した排水を第３排水経路４３により加熱室２０内に導くので、排水タンク５０が満水となっても、排水タンク５０から溢れた排水が機器内や外部に流れ出ない。
【００４１】
また、上記排水タンク５０が本体ケーシング１０に装着されていないときでも、排水バルブ３８を介して蒸気発生装置３６からの排水を、第３排水経路４３に設けた排水受口４３aで受けて加熱室２０内に導くので、機器内や外部に排水が溢れ出さない。
【００４２】
また、上記排水タンク５０が本体ケーシング１０に装着されていないことを排水タンク５０用センサが検出すると、制御装置８０が排水バルブ３８の動作を停止するので、誤って蒸気発生装置３６内から排水バルブ３８を介して排水されることがない。
【００４３】
また、図９は上記排水タンク用収納部５１(図８に示す)の突出部６１の逆止弁７０を含む要部の断面を示す模式図であり、突出部６１に設けられたジョイント部６１aに、排水タンク用収納部５１側から加熱室２０側への水の流れのみを許容する逆止弁７０を配置している。このジョイント部６１aの逆止弁７０よりも排水タンク用収納部５１側の小径部Ｓの内径Ａを、ジョイント部６１aの逆止弁７０よりも加熱室２０側の大径部Ｌの内径Ｂよりも小さくしている。また、逆止弁７０は、弾性体(例えばシリコン樹脂)からなる小判形の板状の弁体７１と、弁体７１上部に一体成形により設けられた円弧状の固定部７２とを有している。また、ジョイント部６１aの排水タンク用収納部５１側の小径部Ｓとジョイント部６１aの加熱室２０側の大径部Ｌとにより形成された段部７４の側壁に、逆止弁７０の板状の弁体７１の排水タンク用収納部５１側の端面の一部が対向しかつ近接している。この実施の形態では、ジョイント部６１aの小径部Ｓの内径を１３mmとし、大径部Ｌの内径を１０mmとし、板状の弁体７１の厚さを０.５mmとしている。
【００４４】
また、逆止弁７０の弁体７１側を、ジョイント部６１aに設けられたスリット７３に挿入し、逆止弁７０の固定部７２をジョイント部６１aにＲＴＶ(Room Temperature Vulcanization：室温硬化)樹脂により接着し、スリット７３をシールしている。また、接着剤を用いずに、ジョイント部６１aをパッキンチューブで覆うことによって、逆止弁７０を固定し、スリット７３をシールしてもよい。
【００４５】
図１０(a)は逆止弁７０の正面図であり、図１０(b)は逆止弁７０の側面図であり、図１０(c)は逆止弁７０の下面図である。また、図１１は上記排水タンク用収納部５１の突出部６１の逆止弁７０を含む要部の斜視図である。図１０(a)〜(c)および図１１において、図９と同一の構成部に同一の参照番号を付している。
【００４６】
上記構成の加熱調理器１によれば、排水タンク用収納部５１内に水が溢れたとき、逆止弁７０が排水タンク用収納部５１側から加熱室２０側への水の流れのみを許容するので、ジョイント部６１a介して加熱室２０に案内され、加熱室２０側からの高温気体は排水タンク用収納部５１に流入しない。したがって、排水タンク用収納部５１内に溢れた水を加熱室２０に案内する加熱調理器において、簡単な構成で加熱室２０内の高温気体が排水タンク用収納部５１に流入するのを防止することができる。
【００４７】
また、上記逆止弁７０の弾性体からなる板状の弁体７１を、ジョイント部６１aに設けられたスリットに挿入することによって、簡単な構成で排水タンク用収納部５１側から加熱室２０側への水の流れのみを許容する逆止弁７０をジョイント部６１aに設けることができる。
【００４８】
また、ジョイント部６１aの排水タンク用収納部５１側の小径部Ｓとジョイント部６１aの加熱室２０側の大径部Ｌとの間に設けられた段部７４の側壁に、逆止弁７０の板状の弁体７１の排水タンク用収納部５１側の端面の一部が対向しかつ近接しているので、排水タンク用収納部５１側から加熱室２０側への水の流れに対して、板状の弁体７１が排水タンク用収納部５１側に変形して流路が確保される一方、加熱室２０側から排水タンク用収納部５１側への高温気体の流れに対して、板状の弁体７１は、端面が対向する段部７４の側壁に接して変形せずに、ジョイント部６１aを閉じた状態にする。
【００４９】
また、上記実施の形態では、蒸気発生装置３６を用いた加熱調理器について説明したが、加熱調理器はこれに限らず、蒸気発生装置からの蒸気を昇温して、昇温された過熱蒸気を加熱室に供給する蒸気昇温装置を備えた加熱調理器にこの発明を適用してもよい。
【００５０】
さらに、上記実施の形態では、弾性体(例えばシリコン樹脂)からなる小判形の板状の弁体７１と、弁体７１上部に一体成形により設けられた円弧状の固定部７２とを有する逆止弁７０を用いたが、逆止弁はこれに限らず、排水タンク用収納部５１側から加熱室２０側への水の流れのみを許容するものであればよい。
【図面の簡単な説明】
【００５１】
【図１】図１はこの発明の実施の一形態の加熱調理器の外観斜視図である。
【図２】図２は上記加熱調理器の扉を開いた状態の外観斜視図である。
【図３】図３は上記加熱調理器の要部の構成を示す模式図である。
【図４】図４は上記加熱調理器の制御装置のブロック図である。
【図５】図５は上記加熱調理器の排水タンクを含む要部の側面図である。
【図６】図６は上記排水タンクを含む要部の裏面図である。
【図７】図７は図６のVII−VII線から見た断面図である。
【図８】図８は図７において排水タンクが排水タンク用収納部内に十分に挿入されていないときの断面図である。
【図９】図９は上記排水タンク用収納部の突出部の逆止弁を含む要部の断面の模式図である。
【図１０】図１０は上記逆止弁の正面図と側面図と下面図である。
【図１１】図１１は上記排水タンク用収納部の突出部の逆止弁を含む要部の斜視図である。
【符号の説明】
【００５２】
１…加熱調理器
１０…本体ケーシング
１１…操作パネル
１２…扉
１３…ハンドル
１４…窓
２０…加熱室
２１…受皿
２２…ラック
３０…給水タンク
３１…給水タンク用収納部
３２…ジョイント部
３３…屈曲部
３３a…開口
３４…水位設定部
３４a…大気開放端
３５…給水経路
３６…蒸気発生装置
３７…ヒータ
３８…排水バルブ
３９…蒸気供給路
４１…第１排水経路
４２…第２排水経路
４３…第３排水経路
４３a…排水受口
５０…排水タンク
５０a…排水受口
５１…排水タンク用収納部
５２…排水タンク用センサ
６１…突出部
６１a…ジョイント部
６２…加熱室接続部
６２a…出口
６３…排気経路
６４…第４排水経路
７０…逆止弁
７１…弁体
７２…固定部
７３…スリット
７４…段部
Ｓ…小径部
Ｌ…大径部
【図１】
0004408843.tif 000002
【図２】
0004408843.tif 000003
【図３】
0004408843.tif 000004
【図４】
0004408843.tif 000005
【図５】
0004408843.tif 000006
【図６】
0004408843.tif 000007
【図７】
0004408843.tif 000008
【図８】
0004408843.tif 000009
【図９】
0004408843.tif 000010
【図１０】
0004408843.tif 000011
【図１１】
0004408843.tif 000012